(57)【要約】【課題】上部カバーとして兼用される給排紙用の支持部を備えた装置において、がたつきの発生を抑制可能な技術を提供すること。【解決手段】シート搬送装置６は、支持部２６と、支持部２６の幅方向両端それぞれから突出し、支持部２６によって支持されるシートの幅方向の位置を規制可能な一対の規制部４１，４２と、一対の規制部４１，４２それぞれに形成された凹部又は孔によって構成された一対の被係合部４３，４４と、一対の被係合部４３，４４のそれぞれに対応付けてベース部６Ａに突設され、支持部２６が第一位置にある場合には、それぞれが対応する被係合部４３，４４と係合し、支持部２６が第一位置よりも第二位置側にある場合には、被係合部４３，４４との係合が解除される一対の係合部４５，４６とを備える。【選択図】図５
2018145012.tif 000002
【特許請求の範囲】
【請求項１】
ベース部と、
前記ベース部に配設され、所定の搬送経路に沿ってシートを搬送可能な搬送部と、
前記ベース部に対して相対的に移動して第一位置と第二位置との間を変位可能に構成され、第一面と前記第一面の裏側にある第二面とを有し、前記第二面には複数のリブが突設され、前記第一位置にある場合には前記第一面が装置の外装面の一部となり、前記第二位置にある場合には前記搬送部へ供給されるシート又は前記搬送部から排出されるシートを前記第二面で支持可能な支持部と、
前記支持部におけるシートの搬送方向に直交する方向を幅方向として、前記支持部の幅方向両端それぞれから前記リブと同方向に突出し、それぞれの突出高さは前記リブよりも高く形成されて、前記支持部によって支持されるシートの幅方向の位置を規制可能な一対の規制部と、
前記一対の規制部それぞれに形成された凹部又は孔によって構成された一対の被係合部と、
前記一対の被係合部のそれぞれに対応付けて前記ベース部に突設され、前記支持部が前記第一位置にある場合には、それぞれが対応する前記被係合部と係合し、前記支持部が前記第一位置よりも前記第二位置側にある場合には、前記被係合部との係合が解除される一対の係合部と
を備えるシート搬送装置。
【請求項２】
請求項１に記載のシート搬送装置であって、
前記支持部が前記第二位置から前記第一位置へと変位する際には、前記規制部が前記係合部に当接して前記係合部を弾性変形させ、前記被係合部が前記係合部に到達するのに伴って前記係合部の変形量が減少することにより、前記係合部と前記被係合部が係合するように構成されている
シート搬送装置。
【請求項３】
請求項２に記載のシート搬送装置であって、
前記規制部の突出高さは、前記規制部が前記係合部に当接してから前記支持部が前記第一位置に至るまでに、前記支持部及び前記規制部が所定距離以上変位する高さとされ、
前記所定距離としては、前記支持部が前記第二位置から前記第一位置へと変位する途中で、一方の前記規制部が前記係合部を弾性変形させつつ変位する状態となったにもかかわらず、他方の前記規制部が前記係合部との当接に伴って変位を阻止される状態となった場合に、更に前記支持部を前記第一位置側へ変位させようとすると、一方の前記規制部が前記所定距離以上変位するまでに、前記支持部が弾性変形するのに伴って他方の前記規制部から前記係合部に作用する力が増大して、他方の前記規制部が前記係合部を弾性変形させつつ変位する状態に転じることとなる距離が確保されている
シート搬送装置。
【請求項４】
請求項１−請求項３のいずれか一項に記載のシート搬送装置であって、
前記規制部及び前記係合部は、いずれか一方に第一当接面が形成され、他方に第一当接部が形成され、
前記支持部が前記第二位置から前記第一位置へ変位する際には、前記係合部が前記規制部に対して相対的に第一方向へ移動することにより、前記第一当接面と前記第一当接部とが当接し、当該当接後は、前記係合部が第二方向へ弾性変形することにより、前記第一当接面と前記第一当接部とが互いに対して摺動しつつ、更に前記係合部が前記規制部に対して相対的に第一方向へ移動可能に構成され、
前記第一当接面は、前記第一方向に対して第一傾斜角で傾斜しており、前記第一傾斜角は、前記規制部及び前記係合部が相対的に前記第一方向へ移動するほど前記第一当接面と前記第一当接部との接触圧が増大して前記係合部の弾性変形量が増大する傾斜角とされている
シート搬送装置。
【請求項５】
請求項１−請求項３のいずれか一項に記載のシート搬送装置であって、
前記係合部及び前記被係合部は、いずれか一方に第二当接面が形成され、他方に第二当接部が形成され、
前記係合部と前記被係合部が係合した際には、前記第二当接部と前記第二当接面とが当接し、その当接箇所では、前記弾性変形した状態にある前記係合部が前記被係合部を第三方向に向かって押圧するように構成され、
前記第二当接面は、前記第三方向に対して第二傾斜角で傾斜しており、前記第二傾斜角は、前記係合部が前記被係合部を前記第三方向に向かって押圧するほど前記支持部が前記第一位置側に向かって付勢される傾斜角とされている
シート搬送装置。
【請求項６】
請求項４に記載のシート搬送装置であって、
前記係合部及び前記被係合部は、いずれか一方に第二当接面が形成され、他方に第二当接部が形成され、
前記係合部と前記被係合部が係合した際には、前記第二当接部と前記第二当接面とが当接し、その当接箇所では、前記弾性変形した状態にある前記係合部が前記被係合部を第三方向に向かって押圧するように構成され、
前記第二当接面は、前記第三方向に対して第二傾斜角で傾斜しており、前記第二傾斜角は、前記係合部が前記被係合部を前記第三方向に向かって押圧するほど前記支持部が前記第一位置側に向かって付勢される傾斜角とされている
シート搬送装置。
【請求項７】
請求項６に記載のシート搬送装置であって、
前記支持部が前記第一位置から前記第二位置へ変位する際には、前記係合部が前記規制部に対して相対的に前記第一方向の反対方向である第四方向へ移動するように構成され、
前記第二当接面は、前記第四方向に対して第三傾斜角で傾斜しており、前記第三傾斜角は、前記第一傾斜角よりも大きい角度とされている
シート搬送装置。
【請求項８】
請求項１−請求項７のいずれか一項に記載のシート搬送装置であって、
前記支持部が前記第一位置にある状態において前記支持部を挟む両側には、前記支持部が前記第一位置へと変位する際に内側に嵌まり込む外装部材が配設され、
前記規制部の外縁部のうち、少なくとも一部の範囲には、前記支持部が前記第二位置から前記第一位置へ変位する際に、前記外装部材に接触し得る接触面が形成され、
前記接触面は、前記接触面の移動方向に対して傾斜しており、その傾斜角は、前記支持部が前記第二位置から前記第一位置へ変位する際、前記接触面と前記外装部材が接触した場合には、前記接触面と前記外装部材とが摺動しつつ前記規制部が前記外装部材の内側へと案内される傾斜角とされている
シート搬送装置。
【請求項９】
画像の読み取り対象となるシートを所定の搬送経路に沿って搬送するシート搬送装置を備えた画像読取装置であって、
前記シート搬送装置は、
ベース部と、
前記ベース部に配設され、所定の搬送経路に沿ってシートを搬送可能な搬送部と、
前記ベース部に対して相対的に移動して第一位置と第二位置との間を変位可能に構成さ
れ、第一面と前記第一面の裏側にある第二面とを有し、前記第二面には複数のリブが突設され、前記第一位置にある場合には前記第一面が装置の外装面の一部となり、前記第二位置にある場合には前記搬送部へ供給されるシート又は前記搬送部から排出されるシートを前記第二面で支持可能な支持部と、
前記支持部におけるシートの搬送方向に直交する方向をシートの幅方向として、前記支持部の幅方向両端それぞれから前記リブと同方向に突出し、それぞれの突出高さは前記リブよりも高く形成されて、前記支持部によって支持されるシートの幅方向の位置を規制可能な一対の規制部と、
前記一対の規制部それぞれに形成された凹部又は孔によって構成された一対の被係合部と、
前記一対の被係合部のそれぞれに対応付けて前記ベース部に突設され、前記支持部が前記第一位置にある場合には、それぞれが対応する前記被係合部と係合し、前記支持部が前記第一位置よりも前記第二位置側にある場合には、前記被係合部との係合が解除される一対の係合部と
を備える画像読取装置。
【請求項１０】
画像の読み取り対象となるシートを所定の搬送経路に沿って搬送するシート搬送装置を備えた画像読取装置であって、
前記シート搬送装置は、
ベース部と、
前記ベース部に配設され、所定の搬送経路に沿ってシートを搬送可能な搬送部と、
前記ベース部に対して相対的に移動して第一位置と第二位置との間を変位可能に構成され、第一面と前記第一面の裏側にある第二面とを有し、前記第一位置にある場合には前記第一面が装置の外装面の一部となり、前記第二位置にある場合には前記搬送部へ供給されるシート又は前記搬送部から排出されるシートを前記第二面で支持可能な支持部と、
前記支持部におけるシートの搬送方向に直交する方向をシートの幅方向として、前記支持部の幅方向両端それぞれから突出し、前記支持部によって支持されるシートの幅方向の位置を規制可能な一対の規制部と、
前記一対の規制部それぞれに形成された凹部又は孔によって構成された一対の被係合部と、
前記一対の被係合部のそれぞれに対応付けて前記ベース部に突設され、前記支持部が前記第一位置にある場合には、それぞれが対応する前記被係合部と係合し、前記支持部が前記第一位置よりも前記第二位置側にある場合には、前記被係合部との係合が解除される一対の係合部と
を備え、
前記支持部が前記第二位置から前記第一位置へと変位する際には、前記規制部が前記係合部に当接して前記係合部を弾性変形させ、前記被係合部が前記係合部に到達するのに伴って前記係合部の変形量が減少することにより、前記係合部と前記被係合部が係合するように構成され、
前記規制部の突出高さは、前記規制部が前記係合部に当接してから前記支持部が前記第一位置に至るまでに、前記支持部及び前記規制部が所定距離以上変位する高さとされ、
前記所定距離としては、前記支持部が前記第二位置から前記第一位置へと変位する途中で、一方の前記規制部が前記係合部を弾性変形させつつ変位する状態となったにもかかわらず、他方の前記規制部が前記係合部との当接に伴って変位を阻止される状態となった場合に、更に前記支持部を前記第一位置側へ変位させようとすると、一方の前記規制部が前記所定距離以上変位するまでに、前記支持部が弾性変形するのに伴って他方の前記規制部から前記係合部に作用する力が増大して、他方の前記規制部が前記係合部を弾性変形させつつ変位する状態に転じることとなる距離が確保されている
画像読取装置。
【発明の詳細な説明】
【技術分野】
【０００１】
本発明は、シート搬送装置、及び画像読取装置に関する。
【背景技術】
【０００２】
画像読取装置が備える自動原稿送り装置（Automatic Document Feeder；以下、ＡＤＦと略称する。）において、第一位置では、装置の外装となる上部カバーとして機能し、第二位置では、搬送されるシートを支持する給紙トレイとして機能する可動部材を備えた装置が知られている（例えば、特許文献１参照。）。
【０００３】
また、下記特許文献１に記載のＡＤＦの場合、プリンター本体部とともにプリンター複合機を構成している。プリンター本体部は、スキャナー部、及び記録部などを有する。スキャナー部は、ＡＤＦと協働して画像の読み取りを実施できる他、フラットベッド型スキャナーとしても利用可能に構成されている。また、記録部では、被記録媒体に対する画像形成を実施することができる。
【先行技術文献】
【特許文献】
【０００４】
【特許文献１】特開２０１０−２４５６２４号公報
【発明の概要】
【発明が解決しようとする課題】
【０００５】
しかし、上述のような可動部材は二位置間を移動可能な構造とされている。そのため、可動部材が上部カバーとして機能している状態で、上述のスキャナー部がフラットベッド型スキャナーとして作動した場合や、上述の記録部が作動して画像形成が実行された場合に、それらの構成から可動部材へ振動が伝わることなどが原因で、可動部材にがたつきが発生する。また、可動部材が上部カバーとして機能している状態で装置を運搬したような場合にも、可動部材にがたつきが発生する。
【０００６】
以上のような事情から、上部カバーとして兼用される給排紙用の支持部を備えた装置において、がたつきの発生を抑制可能な技術を提供することが望ましい。
【課題を解決するための手段】
【０００７】
以下に説明するシート搬送装置は、ベース部と、ベース部に配設され、所定の搬送経路に沿ってシートを搬送可能な搬送部と、ベース部に対して相対的に移動して第一位置と第二位置との間を変位可能に構成され、第一面と第一面の裏側にある第二面とを有し、第二面には複数のリブが突設され、第一位置にある場合には第一面が装置の外装面の一部となり、第二位置にある場合には搬送部へ供給されるシート又は搬送部から排出されるシートを第二面で支持可能な支持部と、支持部におけるシートの搬送方向に直交する方向を幅方向として、支持部の幅方向両端それぞれからリブと同方向に突出し、それぞれの突出高さはリブよりも高く形成されて、支持部によって支持されるシートの幅方向の位置を規制可能な一対の規制部と、一対の規制部それぞれに形成された凹部又は孔によって構成された一対の被係合部と、一対の被係合部のそれぞれに対応付けてベース部に突設され、支持部が第一位置にある場合には、それぞれが対応する被係合部と係合し、支持部が第一位置よりも第二位置側にある場合には、被係合部との係合が解除される一対の係合部とを備える。
【０００８】
このように構成されたシート搬送装置によれば、係合部と被係合部とを係合させることにより、支持部を第一位置で保持し、支持部が第二位置側へ変位するのを抑制できる。したがって、このような係合部及び被係合部が設けられていない場合に比べ、シート搬送装置に併設された各種装置（例えば、画像読取装置や画像形成装置など）の作動時やシート搬送装置を含む装置の運搬時にがたつきが発生するのを抑制することができる。
【０００９】
また、支持部の幅方向両端それぞれに設けられた一対の規制部に対応付けて一対の被係合部が設けられ、それら一対の被係合部に対応付けて一対の係合部が設けられている。そのため、係合部と被係合部とを係合させると、支持部の幅方向両端それぞれが第一位置で保持される。したがって、支持部の幅方向両端のうち、いずれか一方の端部だけで支持部が保持される場合に比べ、支持部のがたつきを抑制する効果は高くなる。
【００１０】
さらに、被係合部は、上述のような規制部に形成されている。そのため、規制部とは別に被係合部を設ける場合に比べ、それらの構成が別々に占有する領域を削減することができ、その分だけ装置の構成をコンパクトにすることができる。
【００１１】
加えて、上述のような規制部を備えているので、支持部が第二位置にある場合には、規制部によってシートの幅方向位置を規制することができる。よって、搬送部へ供給されるシート又は搬送部から排出されるシートが、支持部の第二面から脱落するのを抑制することができる。
【００１２】
また、以下に説明する画像読取装置は、画像の読み取り対象となるシートを所定の搬送経路に沿って搬送するシート搬送装置を備えた画像読取装置であって、前記シート搬送装置は、ベース部と、前記ベース部に配設され、所定の搬送経路に沿ってシートを搬送可能な搬送部と、前記ベース部に対して相対的に移動して第一位置と第二位置との間を変位可能に構成され、第一面と前記第一面の裏側にある第二面とを有し、前記第二面には複数のリブが突設され、前記第一位置にある場合には前記第一面が装置の外装面の一部となり、前記第二位置にある場合には前記搬送部へ供給されるシート又は前記搬送部から排出されるシートを前記第二面で支持可能な支持部と、前記支持部におけるシートの搬送方向に直交する方向をシートの幅方向として、前記支持部の幅方向両端それぞれから前記リブと同方向に突出し、それぞれの突出高さは前記リブよりも高く形成されて、前記支持部によって支持されるシートの幅方向の位置を規制可能な一対の規制部と、前記一対の規制部それぞれに形成された凹部又は孔によって構成された一対の被係合部と、前記一対の被係合部のそれぞれに対応付けて前記ベース部に突設され、前記支持部が前記第一位置にある場合には、それぞれが対応する前記被係合部と係合し、前記支持部が前記第一位置よりも前記第二位置側にある場合には、前記被係合部との係合が解除される一対の係合部とを備える。
【００１３】
このように構成された画像読取装置によれば、上述のシート搬送装置と同等な構成を有するので、上述のシート搬送装置について述べた通りの作用、効果を奏する。
また、以下に説明する画像読取装置は、画像の読み取り対象となるシートを所定の搬送経路に沿って搬送するシート搬送装置を備えた画像読取装置であって、前記シート搬送装置は、ベース部と、前記ベース部に配設され、所定の搬送経路に沿ってシートを搬送可能な搬送部と、前記ベース部に対して相対的に移動して第一位置と第二位置との間を変位可能に構成され、第一面と前記第一面の裏側にある第二面とを有し、前記第一位置にある場合には前記第一面が装置の外装面の一部となり、前記第二位置にある場合には前記搬送部へ供給されるシート又は前記搬送部から排出されるシートを前記第二面で支持可能な支持部と、前記支持部におけるシートの搬送方向に直交する方向をシートの幅方向として、前記支持部の幅方向両端それぞれから突出し、前記支持部によって支持されるシートの幅方向の位置を規制可能な一対の規制部と、前記一対の規制部それぞれに形成された凹部又は孔によって構成された一対の被係合部と、前記一対の被係合部のそれぞれに対応付けて前
記ベース部に突設され、前記支持部が前記第一位置にある場合には、それぞれが対応する前記被係合部と係合し、前記支持部が前記第一位置よりも前記第二位置側にある場合には、前記被係合部との係合が解除される一対の係合部とを備え、前記支持部が前記第二位置から前記第一位置へと変位する際には、前記規制部が前記係合部に当接して前記係合部を弾性変形させ、前記被係合部が前記係合部に到達するのに伴って前記係合部の変形量が減少することにより、前記係合部と前記被係合部が係合するように構成され、前記規制部の突出高さは、前記規制部が前記係合部に当接してから前記支持部が前記第一位置に至るまでに、前記支持部及び前記規制部が所定距離以上変位する高さとされ、前記所定距離としては、前記支持部が前記第二位置から前記第一位置へと変位する途中で、一方の前記規制部が前記係合部を弾性変形させつつ変位する状態となったにもかかわらず、他方の前記規制部が前記係合部との当接に伴って変位を阻止される状態となった場合に、更に前記支持部を前記第一位置側へ変位させようとすると、一方の前記規制部が前記所定距離以上変位するまでに、前記支持部が弾性変形するのに伴って他方の前記規制部から前記係合部に作用する力が増大して、他方の前記規制部が前記係合部を弾性変形させつつ変位する状態に転じることとなる距離が確保されている。
【００１４】
このように構成された画像読取装置によれば、上述のシート搬送装置と同等な構成を有するので、上述のシート搬送装置について述べた通りの作用、効果を奏する。また、他方の規制部が係合部との当接に伴って変位を阻止される状態となった場合でも、更に支持部を弾性変形させながら一方の規制部を所定距離以上変位させることができる。これにより、他方の規制部から係合部に作用する力が増大し、その結果、他方の規制部が係合部を弾性変形させつつ変位する状態に転じる。したがって、他方の規制部が係合部との当接に伴って変位を阻止される状態となった場合に、更に支持部を第一位置側へ変位させようとしても、支持部をあまり大きく変位させることができないものとは異なり、一方の規制部側でのみ係合部と被係合部が係合してしまうのを抑制することができる。
【図面の簡単な説明】
【００１５】
【図１】図１は複合機の構成を示すブロック図である。
【図２】図２（Ａ）は中央カバーが閉位置にある状態の読取ユニットを示す中央断面図である。図２（Ｂ）は中央カバーが開位置にある状態の読取ユニットを示す中央断面図である。
【図３】図３（Ａ）は中央カバーが開位置にある状態のＡＤＦユニットを示す斜視図である。図３（Ｂ）は図３（Ａ）中に示したＩＩＩＢ部の拡大図である。
【図４】図４（Ａ）は支持部が第一位置にある状態における装置前面側の規制部の正面図である。図４（Ｂ）は図４（Ａ）中に示す矢印ＩＶＢ方向から見た規制部の底面図である。図４（Ｃ）は図４（Ｂ）中に示す矢印ＩＶＣ方向から見た規制部の背面図である。
【図５】図５（Ａ）は支持部が第一位置にある状態における係合部及び規制部を示す縦断面図である。図５（Ｂ）は図５（Ａ）中に示したＶＢ部の拡大図である。図５（Ｃ）は図５（Ａ）中に示したＶＣ部の拡大図である。
【図６】図６（Ａ）は支持部が第二位置から第一位置側へ変位する途中で係合部と規制部が当接した時点における縦断面図である。図６（Ｂ）は図６（Ａ）中に示したＶＩＢ部の拡大図である。図６（Ｃ）は図６（Ａ）中に示したＶＩＣ部の拡大図である。
【図７】図７（Ａ）は支持部が第二位置から第一位置側へ変位する途中で規制部が枠体に当接し得る位置に到達している状態を示す斜視図である。図７（Ｂ）は図７（Ａ）中に示したＶＩＩＢ部の拡大図である。
【図８】図８（Ａ）は支持部が第二位置から第一位置側へ変位する途中で規制部が枠体に当接し得る位置に到達している状態を示す縦断面図である。図８（Ｂ）は図８（Ａ）中に示したＶＩＩＩＢ部の拡大図である。図８（Ｃ）は図８（Ａ）中に示したＶＩＩＩＣ部の拡大図である。
【図９】図９（Ａ）は図６（Ａ）−図６（Ｃ）に示した係合部及び規制部とは形状が異なる係合部及び規制部を示す図であり、支持部が第一位置にある状態における係合部及び規制部を示す縦断面図である。図９（Ｂ）は図９（Ａ）中に示したＩＸＢ部の拡大図である。図９（Ｃ）は図９（Ａ）中に示したＩＸＣ部の拡大図である。
【図１０】図１０（Ａ）は図５（Ａ）−図５（Ｃ）に示した係合部及び規制部とは形状が異なる係合部及び規制部を示す図であり、支持部が第二位置から第一位置側へ変位する途中で係合部と規制部が当接した時点における縦断面図である。図１０（Ｂ）は図１０（Ａ）中に示したＸＢ部の拡大図である。図１０（Ｃ）は図１０（Ａ）中に示したＸＣ部の拡大図である。
【発明を実施するための形態】
【００１６】
次に、上述のシート搬送装置の例示的な実施形態について説明する。
［複合機の構成］
図１に示す複合機１は、上述のシート搬送装置、及び画像読取装置の一例に相当する構成を備える装置である。なお、以下の説明においては、複合機１を構成する各部の相対的な位置関係を簡潔に説明するために、図中（図２〜図１０）に上下左右前後の各方向を併記し、これらの各方向を利用して説明を行う。これらの各方向のうち、上下方向は複合機１を水平面上に設置した場合における水平面に直交する方向、前方は後述する操作パネル１４側が向けられる方向、後方は前方の反対方向、左右方向は上記前方から複合機１を見た場合における左右方向である。ただし、可動部品等の向きは変更され得るので、図中に示した方向が常に維持されるとは限らない。
【００１７】
複合機１は、図１に示すように、本体ユニット２と、読取ユニット３（本明細書でいう画像読取装置の一例に相当。）とを備える。本体ユニット２の上面には開口（図示略。）が形成されている。読取ユニット３は、本体ユニット２の上部に取り付けられ、閉位置と開位置との間を変位可能に構成されている。読取ユニット３が閉位置にある場合、本体ユニット２の開口は読取ユニット３によって閉鎖される。読取ユニット３が開位置にある場合、本体ユニット２の開口は開放される。なお、この開口を介して、本体ユニット２内に収容されている構成部品のメンテナンス等を実施可能に構成されている。読取ユニット３は、スキャナユニット５と、ＡＤＦユニット６（本明細書でいうシート搬送装置の一例に相当。）とを備える。これらスキャナユニット５及びＡＤＦユニット６の構造については後述する。
【００１８】
本体ユニット２には、図１に示すように、制御部１１が設けられている。制御部１１は、周知のＣＰＵ１１Ａ、ＲＯＭ１１Ｂ、ＲＡＭ１１Ｃ、ＮＶＲＡＭ１１Ｄ、及びインターフェース部１１Ｅなどを備える。ＣＰＵ１１Ａは、ＲＯＭ１１ＢやＲＡＭ１１Ｃに記憶された制御プログラムに従って所定の処理を実行し、これにより、複合機１の各部に対する制御が実行される。
【００１９】
制御部１１による制御対象としては、画像形成部１２、ＬＡＮ通信部１３、操作パネル１４、イメージセンサ１５、モータ１６、モータ１７、及びシート検知センサ１８などが設けられている。これらのうち、画像形成部１２、ＬＡＮ通信部１３、及び操作パネル１４は、本体ユニット２に設けられている。イメージセンサ１５、及びモータ１６は、スキャナユニット５に設けられている。モータ１７、及びシート検知センサ１８は、ＡＤＦユニット６に設けられている。
【００２０】
画像形成部１２は、カット紙等の被記録媒体に対してインクジェット方式で画像を形成可能に構成されている。より詳しくは、画像形成部１２は、被記録媒体を搬送するための搬送機構、インクを噴射する記録ヘッド、及び記録ヘッドを往復移動させるための駆動機構等を備える。ただし、これらは周知の構成なので、これ以上の説明及び図示を省略する。なお、画像形成部１２は、電子写真方式で被記録媒体に画像を形成可能に構成されてい
てもよい。
【００２１】
ＬＡＮ通信部１３は、無線ＬＡＮに対応した通信インターフェース装置及び有線ＬＡＮに対応した通信インターフェース装置によって構成されている。操作パネル１４は、利用者が複合機１に対して各種指令を与える際に操作する入力装置（例えば、タッチパネル、各種ボタン類、及びスイッチ類。）と、複合機１の動作状態などを利用者に通知するための出力装置（例えば、液晶ディスプレイ装置、及び各種ランプ類。）を有する。
【００２２】
イメージセンサ１５は、一方向に配列された複数の読取素子を備える一次元イメージセンサである。本実施形態の場合、密着イメージセンサ（ＣＩＳ；Contact Image Sensor）が採用されている。モータ１６は、イメージセンサ１５が有する複数の読取素子の配列方向を主走査方向として、主走査方向に直交する副走査方向へイメージセンサ１５を移動させるための動力源である。モータ１７は、ＡＤＦユニット６においてシートを搬送するための動力源である。シート検知センサ１８は、ＡＤＦユニット６において搬送されるシートの搬送方向先端や搬送方向後端が、所定の検出位置を通過したことを検出するセンサである。
【００２３】
シート検知センサ１８としては、本実施形態の場合、搬送中のシートが接触する状態にあるか否かに応じてオンとオフが切り替わる接触式センサが採用されている。ただし、接触式センサを利用するか否かは任意であり、シートの搬送方向先端や搬送方向後端が所定の検出位置を通過したことを非接触で検出可能なセンサを用いてもよい。例えば、搬送中のシートが光路を遮る状態にあるか否かを検出可能な光学式センサや、搬送中のシートによって光が反射されるか否かを検出可能な光学式センサなどを利用し得る。
【００２４】
［読取ユニットの詳細］
次に、読取ユニット３の構造について、更に詳細に説明する。読取ユニット３において、ＡＤＦユニット６には、図２（Ａ）及び図２（Ｂ）に示すように、所定の搬送経路（図２（Ｂ）中に破線で示す経路参照。）に沿ってシートを搬送する搬送部２０が設けられている。この搬送部２０は、吸入ローラ２１、分離ローラ２２Ａ、分離片２２Ｂ、中継ローラ２３Ａ、中継ピンチローラ２３Ｂ、反転ローラ２４Ａ、第一反転ピンチローラ２４Ｂ、及び第二反転ピンチローラ２４Ｃなどを備えている。吸入ローラ２１、分離ローラ２２Ａ、分離片２２Ｂ、中継ローラ２３Ａ、及び中継ピンチローラ２３Ｂを上側から覆う位置には、搬送経路に沿って延びるガイド部２５が配設されている。
【００２５】
また、ＡＤＦユニット６には、ＡＤＦベース６Ａ（本明細書でいうベース部の一例に相当。）、中央カバー２６（本明細書でいう支持部の一例に相当。）、左カバー２７、及び右カバー２８が設けられている。ＡＤＦベース６Ａは、上述した搬送部２０を収容する。中央カバー２６、左カバー２７、及び右カバー２８は、これら三つのカバーにより、複合機１（読取ユニット３）の上面カバーを形成している。中央カバー２６、左カバー２７、及び右カバー２８は、それぞれが軸支部２６Ａ，２７Ａ，２８ＡによってＡＤＦベース６Ａに回動可能に支持されている。軸支部２６Ａを構成する支軸及び軸受けは、いずれか一方が中央カバー２６に設けられ、他方がＡＤＦユニット６のベース部であるＡＤＦベース６Ａなど（例えば、ＡＤＦベース６Ａ自体、若しくはＡＤＦベース６Ａに対して固定された部材など。）に設けられていればよい。同様に、軸支部２７Ａを構成する支軸及び軸受けは、いずれか一方が左カバー２７に設けられ、他方がＡＤＦベース６Ａなどに設けられていればよい。軸支部２８Ａを構成する支軸及び軸受けは、いずれか一方が右カバー２８に設けられ、他方がＡＤＦベース６Ａなどに設けられていればよい。
【００２６】
中央カバー２６は、図２（Ａ）に示す閉位置にある状態において、第一面２６１で装置の外装面を構成する。また、中央カバー２６は、図２（Ｂ）に示す開位置にある状態においては、第二面２６２でシートを支持可能サブトレイとして機能する（以下、中央カバー２６のことをサブトレイ２６とも称する。）。サブトレイ２６の第二面２６２には、図３（Ａ）に示すように、複数のリブ２６Ｂが突設されている。これら複数のリブ２６Ｂは、サブトレイ２６が第二面２６２でシートを支持する際に、サブトレイ２６とシートとの接触面積を低減させて、サブトレイ２６とシートと間に作用する摩擦力を低減する。なお、サブトレイ２６とシートと間に作用する摩擦力を低減することが可能であれば、リブ２６Ｂの突出高さ、長さ、及び形状等は、特に限定されない。
【００２７】
図２（Ａ）に示した状態において、中央カバー２６の下方となる位置には、ＡＤＦベース６Ａに一体成形されたメイントレイ２９が設けられている。サブトレイ２６が開位置にある場合、サブトレイ２６とメイントレイ２９は互いに隣接する位置に配置される。サブトレイ２６とメイントレイ２９が隣接する箇所において、サブトレイ２６とメイントレイ２９の境界となる部分は面一となる。この状態では、メイントレイ２９及びサブトレイ２６の双方により、搬送部２０へ供給されるシート又は搬送部２０から排出されるシートを支持するシート給排部３０が構成される。
【００２８】
右カバー２８は、図２（Ａ）に示す水平位置にある状態において、その上面が装置上面側の外装を構成している。また、右カバー２８は、中央カバー２６を図２（Ａ）に示す閉位置から図２（Ｂ）に示す開位置へと回動させた際に、中央カバー２６に連動して、図２（Ａ）に示す水平位置から図２（Ｂ）に示す傾斜位置へと変位する。より詳しく説明すると、右カバー２８の重心は、軸支部２８Ａよりも中央カバー２６側（図２（Ａ）中でいう左側。）となる位置にある。そのため、右カバー２８は、自重によって常に中央カバー２６側（図２（Ａ）中でいう左側。）の端部が下降する方向へと付勢されている状態にある。ただし、右カバー２８が図２（Ａ）に示す水平位置にある状態において、右カバー２８の中央カバー２６側の端部（図２（Ａ）中でいう左側の端部。）は、中央カバー２６の端部（図２（Ａ）中でいう右側の端部。）の上側に重なっている。そのため、右カバー２８の中央カバー２６側の端部（図２（Ａ）中でいう左側の端部。）は、中央カバー２６によって下方への変位が規制される状態にある。よって、中央カバー２６が閉位置にある限り、右カバー２８は水平位置に保持される。
【００２９】
一方、中央カバー２６が、利用者からの操作を受けて閉位置から開位置へ変位すると、中央カバー２６の右カバー２８側の端部は、下降し始める。このとき、右カバー２８は自重によって回動し始め、中央カバー２６に追従して中央カバー２６との接触を維持したまま図２（Ｂ）に示す傾斜位置へと変位する。なお、右カバー２８が傾斜位置に到達すると、中央カバー２６は右カバー２８から離間して開位置に到達する。右カバー２８が傾斜位置にある場合、右カバー２８は、中央カバー２６側の端部（図２（Ｂ）中でいう左端側の端部。）が下降した状態になる。これにより、中央カバー２６が開位置へ変位した際に、中央カバー２６と右カバー２８が干渉するのを避けることができる。中央カバー２６が、開位置から閉位置へと変位する際には、その途中の位置で中央カバー２６が右カバー２８に下面から当接する。その後、中央カバー２６が閉位置へと変位する間は、中央カバー２６と右カバー２８との当接を維持したまま変位し、右カバー２８は中央カバー２６から作用する力を受けて水平位置へと変位する。
【００３０】
左カバー２７は、図２（Ａ）に示す閉位置にある状態において、その上面が装置上面側の外装を構成し、搬送部２０及びガイド部２５を覆う状態にある。この状態において、ガイド部２５は、左カバー２７との間に搬送経路となる隙間を空けて配設されている。左カバー２７を開位置（開位置の図示は省略。）へ回動させた場合には、搬送部２０及びガイド部２５が露出する。したがって、搬送部２０においてシートが詰まった場合には、左カバー２７を開位置へと回動させることにより、詰まったシートを取り除くことができる。
【００３１】
メイントレイ２９上には、図３（Ａ）に示すように、サイドガイド３１，３２が設けられている。サイドガイド３１，３２は、シートの幅方向（図３（Ａ）中でいう前後方向。）へスライドすることにより、当該幅方向の間隔を変更可能に構成されている。サイドガイド３１，３２をスライドさせる際には、いずれか一方を操作してスライドさせれば、それに連動して他方が一方とは逆方向へスライドする。これにより、サイドガイド３１，３２を、双方が互いに接近する方向、又は双方が互いに離間する方向へスライドさせることができる。
【００３２】
サイドガイド３１，３２には、それぞれの上端から互いに対向する方向へ略水平に延出する延出部３３，３４が設けられている。搬送部２０へ供給されるシートをシート給排部３０にセットする際には、シートが延出部３３，３４の下方にセットされる。この状態でシートの幅方向両側にある端面にサイドガイド３１，３２を当接させ、メイントレイ２９上におけるシートのセット位置、及びシートの搬送方向を規制する。これにより、搬送部２０によって搬送されるシートに斜行が発生するのを抑制することができる。
【００３３】
シート給排部３０にセットされるシートは、図２（Ｂ）中に破線で示す搬送経路に沿って搬送される。その際、シートは、吸入ローラ２１によってメイントレイ２９上から搬送方向下流側へと送り出されて、分離ローラ２２Ａ及び分離片２２Ｂによって１枚ずつに分離される。分離されたシートは、中継ローラ２３Ａによって搬送方向下流側へと送り出される。中継ローラ２３Ａによって送り出されたシートは、シート検知センサ１８との当接に伴って、その先端位置や終端位置が検出される。シート検知センサ１８との当接箇所を通過したシートは、反転ローラ２４Ａによってガイド部２５と左カバー２７との間へと送り出されて、搬送部２０から排出される。搬送部２０から排出されるシートは、延出部３３，３４の上方へと排出され、そのシートのサイズによっては、シートの一部がメイントレイ２９及びサブトレイ２６（中央カバー２６）によって構成されるシート給排部３０上へと到達する。すなわち、本実施形態において、シート給排部３０は、搬送部２０から排出される搬送後のシートを支持する構成としても機能する。
【００３４】
スキャナユニット５には、図２（Ａ）及び図２（Ｂ）に示すように、プラテン３７、ガイドレール３８、及びキャリッジ３９などが設けられている。プラテン３７は、スキャナユニット５の上面において読み取り対象物を支持する支持面を構成する透明なガラス板である。ガイドレール３８は、スキャナユニット５のベース部であるスキャナベース５Ａの底部内面に一体成形されたもので、プラテン３７の下面に対して平行な状態で、図２（Ｂ）中でいう左右方向に延在している。キャリッジ３９は、ガイドレール３８の上側に取り付けられることにより、ガイドレール３８に沿って左右方向へ往復移動可能な状態で支持されている。このキャリッジ３９は、無端状の歯付きベルト（図示略。）に連結され、上述のモータ１６（図１参照。）によって歯付きベルトが循環駆動されると、歯付きベルトに追従してキャリッジ３９が左右方向へ往復移動するように構成されている。
【００３５】
上述のイメージセンサ１５は、上述の主走査方向が図２（Ａ）中でいう前後方向（すなわち、図２（Ａ）中に示す左右方向及び上下方向の双方に垂直な方向。）となり、かつ読取素子が上方に向けられた状態でキャリッジ３９に搭載される。これにより、キャリッジ３９が左右方向へ往復移動すると、イメージセンサ１５がキャリッジ３９とともに副走査方向へ移動することになる。プラテン３７によって支持されたシートの画像を読み取る場合、イメージセンサ１５は、キャリッジ３９とともに移動しながら画像を読み取る。また、搬送部２０によって搬送されるシートの画像を読み取る場合、シートは中継ローラ２３Ａと反転ローラ２４Ａとの間となる位置において、プラテン３７の上面に接触しつつ通過する。この接触箇所の下方においてイメージセンサ１５は静止し、プラテン３７を通してシートの画像を読み取る。
【００３６】
［規制部、係合部、及び被係合部の詳細］
サブトレイ２６には、図３（Ａ）に示すように、一対の規制部４１，４２が形成されている。これら規制部４１，４２は、サブトレイ２６の幅方向（図３（Ａ）中でいう前後方向。）両端それぞれからリブ２６Ｂと同方向に突出している。各規制部４１，４２の突出高さは、リブ２６Ｂよりも高く形成されている。搬送部２０へ供給されるシート又は搬送部２０から排出されるシートがサブトレイ２６によって支持される際、規制部４１，４２は、シートの幅方向の位置を規制し、シートがサブトレイ２６上から幅方向へはみ出すのを抑制する。
【００３７】
また、これら規制部４１，４２には、一対の被係合部４３，４４が形成されている。被係合部４３は、図３（Ｂ）及び図４（Ａ）−図４（Ｃ）に拡大して示すように、規制部４１の一部を図中でいう後方へ凹ませた凹部として構成され、その凹部内となる箇所には、第一当接面４３１及び第二当接面４３２などが形成されている。また、規制部４１において、被係合部４３の裏側に相当する箇所には、被係合部４３となる凹部を形成可能な領域を確保するため、膨出部４１１が形成されている。
【００３８】
膨出部４１１において、サブトレイ２６上におけるシートの排出方向上流側の端部には、図４（Ｂ）に示すように、図４（Ｂ）中でいう右前から左後へ傾斜した傾斜面４１２が形成されている。この傾斜面４１２は、搬送部２０から排出されてサブトレイ２６上へと搬送されるシートの先端が、膨出部４１１に到達した際に、シートの先端が膨出部４１１に引っかかるのを抑制する。
【００３９】
なお、規制部４２及び被係合部４４は、図中でいう前後方向に対して垂直な面を対称面として、規制部４１及び被係合部４３と対称な形状に形成されている。そのため、規制部４２及び被係合部４４にも、上述の第一当接面４３１、第二当接面４３２、膨出部４１１、傾斜面４１２に相当する構成が設けられている（以下、これら規制部４２及び被係合部４４側に設けられた構成については、第一当接面４４１、第二当接面４４２、膨出部４２１、傾斜面４２２と称する。）。
【００４０】
以上のような一対の被係合部４３，４４のそれぞれに対応付けて、ＡＤＦベース６Ａには、図５（Ａ）−図５（Ｃ）及び図６（Ａ）−図６（Ｃ）に示すように、一対の係合部４５，４６が突設されている。サブトレイ２６が閉位置にある場合（図５（Ａ）−図５（Ｃ）参照。）、係合部４５，４６は、それぞれが対応する被係合部４３，４４と係合する。また、サブトレイ２６が閉位置よりも開位置側にある場合（一例として図６（Ａ）−図６（Ｃ）参照。）、係合部４５，４６は、それぞれが対応する被係合部４３，４４との係合が解除される。
【００４１】
係合部４５，４６は、それぞれが弾性変形可能に構成されている。サブトレイ２６が開位置から閉位置へと変位する際には、サブトレイ２６が図６（Ａ）−図６（Ｃ）に示す位置に到達した時点で、規制部４１，４２が係合部４５，４６に当接する。そして、サブトレイ２６が更に閉位置側へ変位すると係合部４５，４６を弾性変形させる。そして、サブトレイ２６が閉位置に到達して、被係合部４３，４４が係合部４５，４６に到達すると、弾性変形していた係合部４５，４６の変形量が減少して、図５（Ａ）−図５（Ｃ）に示すように、係合部４５，４６と被係合部４３，４４が係合する。
【００４２】
サブトレイ２６が開位置から閉位置へと変位する場合、係合部４５，４６は、第一当接部４５１，４６１で、被係合部４３，４４の第一当接面４３１，４４１に当接する（図６（Ａ）−図６（Ｃ）参照。）。このとき、係合部４５，４６は、規制部４１，４２に対して相対的に第一方向Ｄ１へ移動する。また、第一当接面４３１，４４１は、第一方向Ｄ１に対して第一傾斜角θ１で傾斜している。そのため、第一当接面４３１，４４１と第一当
接部４５１，４６１とが当接して互いに摺動しつつ係合部４５，４６が規制部４１，４２に対して相対的に第一方向Ｄ１へ移動するほど、第一当接面４３１，４４１と第一当接部４５１，４６１との接触圧が徐々に増大する。よって、係合部４５，４６は、第二方向Ｄ２へ弾性変形し、その撓み（弾性変形量）が徐々に増大する。したがって、規制部４１，４２と係合部４５，４６との間に、最初から最大接触圧程度の圧力が作用する場合に比べ、よりスムーズにサブトレイ２６を閉位置から開位置へ変位させることができる。
【００４３】
なお、本実施形態の場合、係合部４５，４６間の内側に規制部４１，４２が入り込む。そのため、図中でいう前方にある係合部４５の場合、上述の第二方向Ｄ２は図中でいう前方となり、図中でいう後方にある係合部４６の場合、上述の第二方向Ｄ２は図中でいう後方となる。ただし、規制部４１，４２と係合部４５，４６との位置関係は、規制部４１，４２間の内側に係合部４５，４６が入り込む構成に変更することも可能である。このような構成にすると、図中でいう前方にある係合部４５の場合、上述の第二方向Ｄ２は図中でいう後方となり、図中でいう後方にある係合部４６の場合、上述の第二方向Ｄ２は図中でいう前方となる。
【００４４】
また、係合部４５，４６と被係合部４３，４４が係合した場合、係合部４５，４６は、第二当接部４５２，４６２で、被係合部４３，４４の第二当接面４３２，４４２に当接する（図５（Ａ）−図５（Ｃ）参照。）。このとき、弾性変形した状態にある係合部４５，４６は、被係合部４３，４４の第二当接面４３２，４４２を、上記第二方向Ｄ２の反対方向である第三方向Ｄ３に向かって押圧する。第二当接面４３２，４４２は、第三方向Ｄ３に対して第二傾斜角θ２で傾斜している。そのため、係合部４５，４６が被係合部４３，４４を第三方向Ｄ３に向かって押圧するほどサブトレイ２６が閉位置側に向かって付勢される。したがって、係合部４５，４６の弾性力により、サブトレイ２６が閉位置側に向かって付勢される状態でサブトレイ２６を保持することができ、サブトレイ２６のがたつきを抑制することができる。
【００４５】
ちなみに、サブトレイ２６が閉位置から開位置へと変位する場合、係合部４５，４６は、規制部４１，４２に対し、相対的に第四方向Ｄ４へ移動する。第四方向Ｄ４は、上記第一方向Ｄ１の反対方向である。第四方向Ｄ４に対する傾斜角θ３は、上述の第一傾斜角θ１よりも大きい角度とされている。そのため、第一当接部４５１，４６１と第一当接面４３１，４４１が当接している場合にサブトレイ２６を開位置側へ変位させようとする力は、第二当接部４５２，４６２と第二当接面４３２，４４２が当接している場合にサブトレイ２６を閉位置側へ変位させようとする力よりも小さくなる。したがって、係合部４５，４６において生ずる弾性力が同じであっても、第一当接部４５１，４６１と第一当接面４３１，４４１が当接している場合には、サブトレイ２６を閉位置側へ容易に変位させることができ、第二当接部４５２，４６２と第二当接面４３２，４４２が当接している場合には、係合部４５，４６の弾性力を有効に利用してサブトレイ２６を閉位置側へと付勢することができる。
【００４６】
また、被係合部４３，４４と係合部４５，４６には、サブトレイ２６が閉位置側から開位置側へ変位する際に、互いに面で接触する変位規制面４３３，４４３，４５３，４６３が形成されている（図５（Ａ）−図５（Ｃ）参照。）。このような変位規制面４３３，４４３，４５３，４６３を設けることにより、サブトレイ２６が強く上に持ち上げられた場合や、ＡＤＦユニット６の捻れ等に起因してサブトレイ２６が浮く場合には、変位規制面４３３，４５３が面同士で相互に接触し、変位規制面４４３，４６３が面同士で相互に接触することで、サブトレイ２６が閉位置側で強く保持される。
【００４７】
さらに、規制部４１，４２の突出高さは、規制部４１，４２が係合部４５，４６に当接して（図６（Ａ）−図６（Ｃ）参照。）から、サブトレイ２６が閉位置に至る（図５（Ａ）−図５（Ｃ）参照。）までに、サブトレイ２６及び規制部４１，４２が所定距離以上変位する高さとされている。図５（Ａ）−図５（Ｃ）及び図６（Ａ）−図６（Ｃ）に示す例でいえば、規制部４１，４２の突出高さは、サブトレイ２６が位置Ｐ１から位置Ｐ２まで変位する高さとされている（移動距離Ｈ１＝Ｐ２−Ｐ１）。この移動距離Ｈ１が規準となる所定距離Ｈ０以上となるように、規制部４１，４２の突出高さが設定される。
【００４８】
所定距離Ｈ０としては、サブトレイ２６が開位置から閉位置へと変位する途中で、一方の規制部４１が係合部４５を弾性変形させつつ変位する状態となったにもかかわらず、他方の規制部４２が係合部４６との当接に伴って変位を阻止される状態となった場合に、更にサブトレイ２６を閉位置側へ変位させようとすると、一方の規制部４１が所定距離Ｈ０以上の移動距離Ｈ１を変位するまでに、サブトレイ２６が弾性変形するのに伴って他方の規制部４２から係合部４６に作用する力が増大して、他方の規制部４２が係合部４６を弾性変形させつつ、サブトレイ２６とともに他方の規制部４２が閉位置側へ変位する状態に転じることとなる距離が確保される。
【００４９】
すなわち、規制部４１，４２の突出高さが過剰に低い場合には、上述の移動距離Ｈ１が所定距離Ｈ０よりも小さくなることがある。その場合、一方の規制部４１側でサブトレイ２６を操作して閉位置へと変位させた際に、一方の規制部４１は図５（Ｃ）に示す閉位置へ到達したのに、他方の規制部４２側では規制部４２が係合部４６に当接して図６（Ｂ）に示す位置で引っかかってしまうことがある。この状態において、サブトレイ２６の幅方向両端位置には移動距離Ｈ１分のずれがあるが、このずれは、サブトレイ２６が幅方向両端間で弾性変形することにより吸収されている。このような状態に陥ると、一方の被係合部４３と係合部４５は係合したのに、他方の被係合部４４と係合部４６は係合していない、片ロックの状態に陥る。
【００５０】
このような片ロックは、上述の移動距離Ｈ１が十分に大きくなるように規制部４１，４２の突出高さを設定することにより解消することができる。すなわち、移動距離Ｈ１が十分に大きい場合には、サブトレイ２６の幅方向両端位置に移動距離Ｈ１分のずれが生じる前の時点で、サブトレイ２６の幅方向両端間が大きく弾性変形する。そのため、他方の規制部４２側でも規制部４２が係合部４６に対して強く押し当てられることになり、その力で係合部４６が弾性変形する。その結果、規制部４２側の被係合部４４が係合部４６との係合位置に到達し、上述のような片ロックが発生しなくなる。
【００５１】
換言すれば、上述の所定距離Ｈ０は、上述のような片ロックが発生し得なくなる移動距離Ｈ１の最小値であり、その最小値以上の移動距離Ｈ１となるように、規制部４１，４２の突出高さを設定すれば、片ロックの発生を抑制することができる。
【００５２】
ところで、図７（Ａ）に示すように、サブトレイ２６が閉位置にある状態において、サブトレイ２６を挟む両側（図７（Ａ）中でいう前後両側。）には、サブトレイ２６が閉位置へと変位する際に内側に嵌まり込むＡＤＦトップカバー５１が配設されている。サブトレイ２６は、ＡＤＦトップカバー５１の内側にぴったりと嵌まり込むように設計されている。そのため、サブトレイ２６が公差の範囲内で移動すると、規制部４１，４２のいずれかがＡＤＦトップカバー５１に僅かに引っかかる可能性がある。
【００５３】
そこで、上記規制部４１，４２の外縁部のうち、サブトレイ２６が開位置から閉位置へ変位する際に、ＡＤＦトップカバー５１に最初に接触し得る範囲Ｓ（図７（Ｂ）参照。）には、図８（Ａ）−図８（Ｃ）に示すように、規制部４１，４２の移動方向に対して傾斜した接触面４１３，４２３が形成されている。この接触面４１３，４２３は、サブトレイ２６が開位置から閉位置へ変位する際、接触面４１３とＡＤＦトップカバー５１が接触した場合に、接触面４１３，４２３とＡＤＦトップカバー５１とが摺動しつつ規制部４１，
４２がＡＤＦトップカバー５１の内側へと案内される傾斜角とされている。したがって、規制部４１，４２とＡＤＦトップカバー５１とが当接し得る程度まで両者を近接させた設計にしても、規制部４１，４２がサブトレイ２６の移動を妨げることはなく、サブトレイ２６をスムーズに動作させることができる。
【００５４】
以上のように構成された複合機１によれば、係合部４５，４６と被係合部４３，４４とを係合させることにより、サブトレイ２６を閉位置で保持し、サブトレイ２６が開位置側へ変位するのを抑制できる。したがって、このような係合部４５，４６及び被係合部４３，４４が設けられていない場合に比べ、装置の作動時や装置の運搬時にがたつきが発生するのを抑制することができる。
【００５５】
また、サブトレイ２６の幅方向両端それぞれに設けられた一対の規制部４１，４２に対応付けて一対の被係合部４３，４４が設けられ、それら一対の被係合部４３，４４に対応付けて一対の係合部４５，４６が設けられている。そのため、係合部４５，４６と被係合部４３，４４とを係合させると、サブトレイ２６の幅方向両端それぞれが閉位置で保持される。したがって、サブトレイ２６の幅方向両端のうち、いずれか一方の端部だけでサブトレイ２６が保持される場合に比べ、サブトレイ２６のがたつきを抑制する効果は高くなる。
【００５６】
さらに、被係合部４３，４４は、上述のような規制部４１，４２に形成されている。そのため、規制部４１，４２とは別に被係合部４３，４４を設ける場合に比べ、それらの構成が別々に占有する領域を削減することができ、その分だけ装置の構成をコンパクトにすることができる。
【００５７】
加えて、上述のような規制部４１，４２を備えているので、サブトレイ２６が開位置にある場合には、規制部４１，４２によってシートの幅方向位置を規制することができる。よって、搬送部２０へ供給されるシート又は搬送部２０から排出されるシートが、サブトレイ２６の第二面２６２から脱落するのを抑制することができる。
【００５８】
［他の実施形態］
以上、シート搬送装置について、例示的な実施形態を挙げて説明したが、本発明は、上述の例示的な実施形態に限定されるものではなく、本発明の技術的思想を逸脱しない範囲内において、様々な形態で実施することができる。
【００５９】
例えば、上記実施形態では、被係合部４３，４４側に、傾斜した第二当接面４３２，４４２を設け、係合部４５，４６側に第二当接部４５２，４６２を設けたが、被係合部と係合部のどちらに傾斜した当接面を設けるかは任意である。例えば、図９（Ａ）−図９（Ｃ）に示すように、係合部４５，４６側に、傾斜した第二当接面４５５，４６５を設け、被係合部４３，４４側に第二当接部４３５，４４５を設けてよい。この場合でも、係合部４５，４６側から作用する弾性力により、第二当接部４３５，４４５には、サブトレイ２６を閉位置側へと付勢する力が作用するので、上述の実施形態と同様な効果を期待できる。
【００６０】
また、上記実施形態では、サブトレイ２６が開位置から閉位置へと変位する際、規制部４１，４２が図６（Ａ）−図６（Ｃ）に示す位置に到達して係合部４５，４６に当接した時点で、規制部４１，４２の下端４１４，４２４が、係合部４５，４６の爪先端部４５６，４６６よりも下方に達していたが、これも必須ではない。例えば、図１０（Ａ）−図１０（Ｃ）に示すように、規制部４１，４２が係合部４５，４６に当接した時点では、規制部４１，４２の下端４１４，４２４が、係合部４５，４６の爪先端部４５６，４６６より上方にあってもよい。
【００６１】
なお、上記実施形態では、シート搬送装置の一例として、複合機１が備えるＡＤＦユニット６を例示したが、複合機として構成されているか否かは任意であり、単機能の画像読取装置、コピー機、ファクシミリ装置などにおいて、上述のような構成を採用してもよい。
【００６２】
また、上述の説明では、画像読み取り装置が備えるＡＤＦにおいて、本発明のシート搬送装置の構成を採用する例を挙げたが、本発明のシート搬送装置の構成は、画像形成装置において採用することもできる。
【００６３】
［実施形態から把握可能な構成］
以上説明した例示的な実施形態から、本明細書で説明したシート搬送装置、及び画像読取装置（以下、上述のシート搬送装置等という。）は、更に以下に挙げるような構成を備えていてもよいことが把握できる。
【００６４】
まず、上述のシート搬送装置等において、支持部が第二位置から第一位置へと変位する際には、規制部が係合部に当接して係合部を弾性変形させ、被係合部が係合部に到達するのに伴って係合部の変形量が減少することにより、係合部と被係合部が係合するように構成されていてもよい。
【００６５】
また、上述のシート搬送装置等において、規制部の突出高さは、規制部が係合部に当接してから支持部が第一位置に至るまでに、支持部及び規制部が所定距離以上変位する高さとされ、所定距離としては、支持部が第二位置から第一位置へと変位する途中で、一方の規制部が係合部を弾性変形させつつ変位する状態となったにもかかわらず、他方の規制部が係合部との当接に伴って変位を阻止される状態となった場合に、更に支持部を第一位置側へ変位させようとすると、一方の規制部が所定距離以上変位するまでに、支持部が弾性変形するのに伴って他方の規制部から係合部に作用する力が増大して、他方の規制部が係合部を弾性変形させつつ変位する状態に転じることとなる距離が確保されていてもよい。
【００６６】
このように構成されたシート搬送装置等によれば、他方の規制部が係合部との当接に伴って変位を阻止される状態となった場合でも、更に支持部を弾性変形させながら一方の規制部を所定距離以上変位させることができる。これにより、他方の規制部から係合部に作用する力が増大し、その結果、他方の規制部が係合部を弾性変形させつつ変位する状態に転じる。
【００６７】
したがって、他方の規制部が係合部との当接に伴って変位を阻止される状態となった場合に、更に支持部を第一位置側へ変位させようとしても、支持部をあまり大きく変位させることができないものとは異なり、一方の規制部側でのみ係合部と被係合部が係合してしまうのを抑制することができる。
【００６８】
また、上述のシート搬送装置等において、規制部及び係合部は、いずれか一方に第一当接面が形成され、他方に第一当接部が形成され、支持部が第二位置から第一位置へ変位する際には、係合部が規制部に対して相対的に第一方向へ移動することにより、第一当接面と第一当接部とが当接し、当該当接後は、係合部が第二方向へ弾性変形することにより、第一当接面と第一当接部とが互いに対して摺動しつつ、更に係合部が規制部に対して相対的に第一方向へ移動可能に構成され、第一当接面は、第一方向に対して第一傾斜角で傾斜しており、第一傾斜角は、規制部及び係合部が相対的に第一方向へ移動するほど第一当接面と第一当接部との接触圧が増大して係合部の弾性変形量が増大する傾斜角とされていてもよい。
【００６９】
このように構成されたシート搬送装置等によれば、支持部を第二位置から第一位置へ変
位させる際には、第一当接部と第一当接面との接触圧が徐々に増大する。したがって、規制部と係合部との最大接触圧が同等であっても、最初から最大接触圧程度の圧力が作用する場合に比べ、よりスムーズに支持部を第一位置から第二位置へ変位させることができる。
【００７０】
また、上述のシート搬送装置等において、係合部及び被係合部は、いずれか一方に第二当接面が形成され、他方に第二当接部が形成され、係合部と被係合部が係合した際には、第二当接部と第二当接面とが当接し、その当接箇所では、弾性変形した状態にある係合部が被係合部を第三方向に向かって押圧するように構成され、第二当接面は、第三方向に対して第二傾斜角で傾斜しており、第二傾斜角は、係合部が被係合部を第三方向に向かって押圧するほど支持部が第一位置側に向かって付勢される傾斜角とされていてもよい。
【００７１】
このように構成されたシート搬送装置等によれば、係合部と被係合部とが係合した際に、第二接触部と第二接触面との間に作用する接触圧の一部は、支持部を第一位置側へ付勢する向きに作用する。したがって、係合部の弾性力により、支持部が第一位置側に向かって付勢される状態で支持部を保持することができ、支持部のがたつきを抑制することができる。
【００７２】
また、上述のシート搬送装置等において、支持部が第一位置から第二位置へ変位する際には、係合部が規制部に対して相対的に第一方向の反対方向である第四方向へ移動するように構成され、第二当接面は、第四方向に対して第三傾斜角で傾斜しており、第三傾斜角は、第一傾斜角よりも大きい角度とされていてもよい。
【００７３】
このように構成されたシート搬送装置等によれば、第一当接部と第一当接面が当接している場合に支持部を第二位置側へ変位させようとする力は、第二当接部と第二当接面が当接している場合に支持部を第一位置側へ変位させようとする力よりも小さくなる。そのため、係合部において生ずる弾性力が同じであっても、第一当接部と第一当接面が当接している場合には、支持部を第一位置側へ容易に変位させることができ、第二当接部と第二当接面が当接している場合には、係合部の弾性力を有効に利用して支持部を第一位置側へと付勢することができる。
【００７４】
また、上述のシート搬送装置等において、支持部が第一位置にある状態において支持部を挟む両側には、支持部が第一位置へと変位する際に内側に嵌まり込む外装部材が配設され、規制部の外縁部のうち、少なくとも一部の範囲には、支持部が第二位置から第一位置へ変位する際に、外装部材に接触し得る接触面が形成され、接触面は、接触面の移動方向に対して傾斜しており、その傾斜角は、支持部が第二位置から第一位置へ変位する際、接触面と外装部材が接触した場合には、接触面と外装部材とが摺動しつつ規制部が外装部材の内側へと案内される傾斜角とされていてもよい。
【００７５】
このように構成されたシート搬送装置等によれば、規制部の外縁部が外装部材に当接した場合でも、傾斜した接触面で外装部材に当接することにより、規制部が外装部材の内側へと案内される。したがって、規制部と外装部材とが当接し得る程度まで両者を近接させた設計にしても、規制部が支持部の移動を妨げることはなく、支持部をスムーズに動作させることができる。
【符号の説明】
【００７６】
１…複合機、２…本体ユニット、３…読取ユニット、５…スキャナユニット、５Ａ…スキャナベース、６…ＡＤＦユニット、６Ａ…ＡＤＦベース、１１…制御部、１１Ａ…ＣＰＵ、１１Ｂ…ＲＯＭ、１１Ｃ…ＲＡＭ、１１Ｄ…ＮＶＲＡＭ、１１Ｅ…インターフェース部、１２…画像形成部、１３…ＬＡＮ通信部、１４…操作パネル、１５…イメージセンサ、１６，１７…モータ、１８…シート検知センサ、２０…搬送部、２１…吸入ローラ、２２Ａ…分離ローラ、２２Ｂ…分離片、２３Ａ…中継ローラ、２３Ｂ…中継ピンチローラ、２４Ａ…反転ローラ、２４Ｂ…第一反転ピンチローラ、２４Ｃ…第二反転ピンチローラ、２５…ガイド部、２６…中央カバー（サブトレイ）、２６Ａ…軸支部、２６Ｂ…リブ、２６１…第一面、２６２…第二面、２７…左カバー、２７Ａ…軸支部、２８…右カバー、２８Ａ…軸支部、２９…メイントレイ、３０…シート給排部、３１，３２…サイドガイド、３３，３４…延出部、３７…プラテン、３８…ガイドレール、３９…キャリッジ、４１，４２…規制部、４１１，４２１…膨出部、４１２，４２２…傾斜面、４１３，４２３…接触面、４１４，４２４…下端、４３，４４…被係合部、４３１，４４１…第一当接面、４３２，４４２…第二当接面、４３３，４４３…変位規制面、４３５，４４５…第二当接部、４５，４６…係合部、４５３，４６３…変位規制面、４５１，４６１…第一当接部、４５２，４６２…第二当接部、４５５，４６５…第二当接面、４５６，４６６…爪先端部、５１…ＡＤＦトップカバー。
【図１】
2018145012.tif 000003
【図２】
2018145012.tif 000004
【図３】
2018145012.tif 000005
【図４】
2018145012.tif 000006
【図５】
2018145012.tif 000007
【図６】
2018145012.tif 000008
【図７】
2018145012.tif 000009
【図８】
2018145012.tif 000010
【図９】
2018145012.tif 000011
【図１０】
2018145012.tif 000012
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
第１トレイが形成されたベース部と、
前記ベース部に対して閉位置と開位置との間を回動可能に構成され、第１面と前記第１面の裏面である第２面とを有し、前記第１面は前記第２トレイが前記閉位置にある場合に装置の外装面の一部となり、前記第２面は前記第２トレイが前記開位置にある場合にシートを支持する第２トレイと、
前記第１トレイ及び前記第２トレイに支持されるシートを搬送方向へ搬送するローラと、
前記ローラに搬送されたシートの画像を読み取るイメージセンサと、
前記第２トレイにおいて、前記搬送方向に直交する幅方向におけるシートの端面と当接し、シートの前記幅方向の位置を規制する規制部と、
前記規制部に形成された凹部又は孔により構成された被係合部と、
前記ベース部に設けられ、前記第２トレイが前記閉位置にある場合には前記被係合部と係合し、前記第２トレイが前記閉位置よりも前記開位置側にある場合には前記被係合部との係合が解除される係合部と
を備える画像読取装置。
【請求項２】
請求項１に記載の画像読取装置であって、
前記係合部は、爪形状である、画像読取装置。
【請求項３】
請求項１又は請求項２に記載の画像読取装置であって、
前記第１トレイに設けられ、前記幅方向におけるシートの端面と当接し、シートの前記幅方向の位置を規制する、サイドガイドをさらに備える、画像読取装置。
【請求項４】
請求項３に記載の画像読取装置であって、
前記サイドガイドは、前記幅方向にスライド可能に構成された、画像読取装置。
【請求項５】
請求項３又は請求項４に記載の画像読取装置であって、
前記第２トレイは、前記閉位置にある場合に、前記サイドガイドを覆う、画像読取装置。
【請求項６】
請求項３から請求項５の何れか１項に記載の画像読取装置であって、
前記規制部は、前記第１トレイ及び前記第２トレイに支持されるシートを基準として、前記幅方向において前記サイドガイドとは反対側に配置された、画像読取装置。
【請求項７】
ベース部と、
前記ベース部に対して閉位置と開位置との間を回動可能に構成され、第１面と前記第１面の裏面である第２面とを有し、前記第１面は前記支持部が前記閉位置にある場合に装置の外装面の一部となり、前記第２面は前記支持部が前記開位置にある場合にシートを支持する支持部と、
前記ベース部及び前記支持部に支持されるシートを搬送方向へ搬送する搬送部と、
前記搬送部に搬送されたシートの画像を読み取る読取部と、
前記支持部において、前記搬送方向に直交する幅方向におけるシートの端面と当接し、シートの前記幅方向の位置を規制する規制部と、
前記規制部に形成された凹部又は孔により構成された被係合部と、
前記ベース部に設けられ、前記支持部が前記閉位置にある場合には前記被係合部と係合し、前記支持部が前記閉位置よりも前記開位置側にある場合には前記被係合部との係合が解除される係合部と
を備える画像読取装置。
【請求項８】
画像の読み取り対象となるシートを所定の搬送経路に沿って搬送するシート搬送装置を備えた画像読取装置であって、
前記シート搬送装置は、
ベース部と、
前記ベース部に配設され、所定の搬送経路に沿ってシートを搬送可能な搬送部と、
前記ベース部に対して相対的に移動して第一位置と第二位置との間を変位可能に構成さ
れ、第一面と前記第一面の裏側にある第二面とを有し、前記第一位置にある場合には前記第一面が装置の外装面の一部となり、前記第二位置にある場合には前記搬送部へ供給されるシート又は前記搬送部から排出されるシートを前記第二面で支持する支持部と、
前記支持部におけるシートの搬送方向に直交する方向をシートの幅方向として、前記支持部によって支持されるシートの前記幅方向の位置を規制可能な規制部と、
前記規制部に形成された凹部又は孔によって構成された被係合部と、
前記被係合部に対応付けて前記ベース部に突設され、前記支持部が前記第一位置にある場合には、前記被係合部と係合し、前記支持部が前記第一位置よりも前記第二位置側にある場合には、前記被係合部との係合が解除される係合部と
を備える画像読取装置。
【請求項９】
画像の読み取り対象となるシートを所定の搬送経路に沿って搬送するシート搬送装置を備えた画像読取装置であって、
前記シート搬送装置は、
ベース部と、
前記ベース部に対して閉位置と開位置との間を変位可能に構成され、第１面と前記第１面の裏面である第２面とを有し、前記第１面は前記支持部が前記閉位置にある場合に装置の外装面の一部となり、前記第２面は前記支持部が前記開位置にある場合にシートを支持する支持部と、
前記ベース部及び前記支持部に支持されるシートを搬送方向へ搬送する搬送部と、
前記支持部において、前記搬送方向に直交する幅方向におけるシートの端面と当接し、シートの前記幅方向の位置を規制する規制部と、
前記規制部に形成された凹部又は孔により構成された被係合部と、
前記ベース部に設けられ、前記支持部が前記閉位置にある場合には前記被係合部と係合し、前記支持部が前記閉位置よりも前記開位置側にある場合には前記被係合部との係合が解除される係合部と
を備える画像読取装置。
【請求項１０】
請求項７から請求項９の何れか１項に記載の画像読取装置であって、
前記係合部は、爪形状である、画像読取装置。
【請求項１１】
請求項７から請求項１０の何れか１項に記載の画像読取装置であって、
前記ベース部に設けられ、前記幅方向におけるシートの端面と当接し、シートの前記幅方向の位置を規制する、サイドガイドをさらに備える、画像読取装置。
【請求項１２】
請求項１１に記載の画像読取装置であって、
前記サイドガイドは、前記幅方向にスライド可能に構成された、画像読取装置。
【請求項１３】
請求項１１又は請求項１２に記載の画像読取装置であって、
前記支持部は、前記閉位置にある場合に、前記サイドガイドを覆う、画像読取装置。
【請求項１４】
請求項１１から請求項１３の何れか１項に記載の画像読取装置であって、
前記規制部は、前記ベース部及び前記支持部に支持されるシートを基準として、前記幅方向において前記サイドガイドとは反対側に配置された、画像読取装置。